(57)【要約】【課題】レーザー墨出し器の高さ位置の微調整を容易かつ確実に行うことが可能な墨出し器用回転台を提供する。【解決手段】建物の壁面に対してレーザー光を照射する墨出し器本体５１と、この墨出し器本体５１を支持する閉脚および開脚が可能な複数本の支持脚５２とを備えたレーザー墨出し器５０を、建物の床面に対して平行な面内で回転可能に支持するためのものであり、床面上に載置される台座３０と、この台座３０に回転自在に支持される回転台本体２０とを備えた基本構成を有し、前記回転台本体２０と各支持脚５２との間には、支持脚５２を閉開脚させることによって墨出し器本体５１を昇降させる昇降構造４０が設けられている。【選択図】  図１
2004354099.tif 000002
【特許請求の範囲】
【請求項１】
建物の壁面に対してレーザー光を照射する墨出し器本体と、この墨出し器本体を支持する閉脚および開脚が可能な複数本の支持脚とを備えた墨出し器を、建物の床面に対して平行な面内で回転可能に支持する墨出し器用回転台であって、
床面上に載置される台座と、この台座に回転自在に支持される回転台本体とが備えられ、前記回転台本体と前記複数本の支持脚との間には、各支持脚を閉開脚させることによって墨出し器本体を昇降させる昇降構造が設けられていることを特徴とする墨出し器用回転台。
【請求項２】
前記昇降構造は、前記複数本の支持脚それぞれの先端を係止する係止部と、各係止部を回転台本体の径方向に正逆移動可能に案内する案内部材とを備えて構成されていることを特徴とする請求項１記載の墨出し器用回転台。
【請求項３】
前記昇降構造は、各係止部を連結して当該各係止部を同時に且つ同一量移動させる連結部を有していることを特徴とする請求項２記載の墨出し器用回転台。
【請求項４】
前記回転台本体の中心位置に通孔が穿設され、前記台座には、前記通孔に貫通されるように立設された立設壁が設けられ、前記連結部は、立設壁に摺接状態で昇降可能に外嵌された環状昇降体と、この環状昇降体および前記係止部間に姿勢変更可能に介設されたリンクロッドとを備えていることを特徴とする請求項３記載の墨出し器用回転台。
【請求項５】
前記環状昇降体は、径方向の外方に向けて突設された昇降操作用の操作摘み片を有していることを特徴とする請求項４記載の墨出し器用回転台。
【請求項６】
前記立設壁には高さ目盛が表示されている一方、前記環状昇降体には前記高さ目盛を指すインジケータが設けられていることを特徴とする請求項４または５記載の墨出し器用回転台。
【発明の詳細な説明】
【０００１】
【発明の属する技術分野】
本発明は、レーザー光を壁面等の造営面に投影して墨出し作業を行う墨出し器を支持する墨出し器用回転台に関するものである。
【０００２】
【従来の技術】
従来、レーザー光を円筒レンズを利用して扇形に広がるライン光とし、このライン光を壁面や天井面に投射することで墨出しを行う、特許文献１に記載されているようなレーザー墨出し器が知られている。このレーザー墨出し器は、床面に対して平行な面内で回転自在とされた回転台に載置されている。したがって、当該レーザー墨出し器の向きを変えるときには、当該レーザー墨出し器を一旦持ち上げてから向きを変えて置き直すような面倒な作業を行うことなく、回転台を回転させることで済ませることができるため、向き変換のための操作性が極めて良好である。
【０００３】
また、レーザー光の向きを変えるに際し、レーザー墨出し器自体を動かすと、地墨（レーザー墨出し器の中心位置）がずれてしまうという不都合が生じるが、特許文献１の回転台を使用すると、回転台は床面に対して平行な面内で回転するため、地墨がずれるような不都合の生じることがない。
【０００４】
【特許文献１】
特開２０００−２２８４４３号公報
【０００５】
【発明が解決しようとする課題】
しかしながら、特許文献１のものは、レーザー墨出し器の向き変更については改良されているとはいいながら、レーザー墨出し器の高さ位置、すなわちレーザー光照射源の高さ位置の微調整を容易に行うことができず、これの解決が嘱望されていた。
【０００６】
本発明は、かかる状況に鑑みなされたものであり、レーザー墨出し器の高さ位置の微調整を容易かつ確実に行うことが可能な墨出し器用回転台を提供することを目的としている。
【０００７】
【課題を解決するための手段】
請求項１記載の発明は、建物の壁面に対してレーザー光を照射する墨出し器本体と、この墨出し器本体を支持する閉脚および開脚が可能な複数本の支持脚とを備えた墨出し器を、建物の床面に対して平行な面内で回転可能に支持する墨出し器用回転台であって、床面上に載置される台座と、この台座に回転自在に支持される回転台本体とが備えられ、前記回転台本体と前記複数本の支持脚との間には、各支持脚を閉開脚させることによって墨出し器本体を昇降させる昇降構造が設けられていることを特徴とする特徴とするものである。
【０００８】
この発明によれば、昇降構造によって回転台本体を昇降させることにより、当該回転台本体に支持されたレーザー墨出し器の高さ位置を容易に微調整することができるため、常に地墨の高さを適正な位置に設定することが可能になり、これによって常に正確な墨出し作業が実現する。
【０００９】
請求項２記載の発明は、請求項１記載の発明において、前記昇降構造は、前記複数本の支持脚それぞれの先端を係止する係止部と、各係止部を回転台本体の径方向に正逆移動可能に案内する案内部材とを備えて構成されていることを特徴とするものである。
【００１０】
この発明によれば、各係止部を回転台本体の径方向内方に向けて移動させることにより、これらの係止部に係止されている支持脚の先端部が回転台本体の中心に向けて移動することになり、これによって複数の支持脚の基端側（具体的には上端側）は互いに干渉し合って競り上がるため、複数の支持脚に支持された墨出し器本体は上昇する。逆に、各係止部を回転台本体の径方向外方に向けて移動させることにより、これらの係止部に係止されている支持脚の先端部が回転台本体の中心から遠ざかる方向に向けて移動することになり、これによって複数の支持脚の基端側は競り下がるため、複数の支持脚に支持された墨出し器本体は下降する。
【００１１】
このように、昇降構造を、複数本の支持脚それぞれの先端を係止する係止部と、各係止部を回転台本体の径方向に正逆移動可能に案内する案内部材とを備えて構成することにより、簡単な構造でありながら安定した状態で墨出し器本体を容易させることができ、部品コストおよび組み付けコストの低減化に寄与する。
【００１２】
請求項３記載の発明は、請求項２記載の発明において、前記昇降構造は、各係止部を連結して当該各係止部を同時に且つ同一量移動させる連結部を有していることを特徴とするものである。
【００１３】
この発明によれば、各係止部は、連結部を介して各同時に且つ同一量移動するように連結され、これによっていずれかの係止部のみを移動させることによって全ての係止部を同一量だけ移動するため、各係止部をそれぞれ別個に移動させる場合に比較し、手間が省けて操作性が向上し、これによって墨出し器本体の高さ位置微調整を容易に行うことができる。
【００１４】
請求項４記載の発明は、請求項３記載の発明において、前記回転台本体の中心位置に通孔が穿設され、前記台座には、前記通孔に貫通されるように立設された立設壁が設けられ、前記連結部は、立設壁に摺接状態で昇降可能に外嵌された環状昇降体と、この環状昇降体および前記係止部間に姿勢変更可能に介設されたリンクロッドとを備えていることを特徴とするものである。
【００１５】
この発明によれば、環状昇降体を、立設壁に沿って摺動させながら昇降させることにより、この昇降運動は、環状昇降体を介して各リンクロッドに伝達されるため、各リンクロッドのリンク運動によって各係止部が同一量だけ移動し、これによって墨出し器本体は、新たに設定された高さ位置において各リンクロッドに支持される。
【００１６】
このように、連結部を、立設壁に摺接状態で昇降可能に外嵌された環状昇降体と、この環状昇降体および係止部間に姿勢変更可能に介設されたリンクロッドとを備えて構成することにより、簡単な構造を確保した上で、墨出し器本体の高さ位置の微調整を容易かつ確実に行うことができる。
【００１７】
請求項５記載の発明は、請求項４記載の発明において、前記環状昇降体は、径方向の外方に向けて突設された昇降操作用の操作摘み片を有していることを特徴とするものである。
【００１８】
この発明によれば、操作摘み片の存在で環状昇降体の昇降操作が容易に行い得るようになる。
【００１９】
請求項６記載の発明は、請求項４または５記載の発明において、前記立設壁には高さ目盛が表示されている一方、前記環状昇降体には前記高さ目盛を指すインジケータが設けられていることを特徴とするものである。
【００２０】
この発明によれば、インジケータが指している目盛を読み取ることにより墨出し器本体の設定高さ位置を正確に知ることができる。
【００２１】
【発明の実施の形態】
図１は、本発明に係る墨出し器用回転台の一実施形態を示す分解斜視図であり、図２は、墨出し器本体が最下部位置に位置設定された状態を示す墨出し器用回転台の組立て斜視図である。そして、図３は、図２に示す墨出し器用回転台の平面図であり、図４は、同側面図である。また、図５は、墨出し器本体が上部位置に位置設定された状態を示す墨出し器用回転台の組立て斜視図である。そして、図６は、図５に示す墨出し器用回転台の平面図であり、図７は、同側面図である。
【００２２】
これらの図に示すように、墨出し器用回転台１０は、レーザー墨出し器５０を上下方向に延びる軸心回りに回転させ得る状態で昇降可能に支持するためのものであり、当該レーザー墨出し器５０が取り付けられる回転台本体２０と、床面上に載置された状態で回転台本体２０を回転自在に支持する台座３０と、レーザー墨出し器５０を昇降させる昇降構造４０とを備えた基本構成を有している。
【００２３】
回転台本体２０は例えばＡＢＳ樹脂のような熱可塑性樹脂の樹脂成型品からなり、略円板状の主部２１と、この主部２１の周縁部から下方に向けて延設された環状壁２２とを備えて裏返した皿形状に形成されている。主部２１の周縁部には径方向の外方に向かって先下がりになった環状傾斜縁部２１１が形成されているとともに、主部２１の中心位置には円形の貫通孔（通孔）２３が穿設されている。
【００２４】
また、主部２１の周縁部には周方向に等ピッチで径方向の外方に向かって突設された３つの張出部２４が設けられている。これらの張出部２４には後に詳述するレーザー墨出し器５０の支持脚５２が昇降構造４０の一部材（後述する係止部４１）を介してそれぞれ載置されている。回転台本体２０の回転操作は、張出部２４の側縁を指で押すようなマニュアル操作で容易に行うことができる。
【００２５】
また、図１に点線で示すように主部２１の裏面には、主部２１と同心で下方に向かって突出する環状リブ２５が突設されている。この環状リブ２５は台座３０の後述する挟持リブ３５に嵌め込まれ、これによる径方向への位置規制で回転台本体２０が中心周りに回転し得るようになっている。
【００２６】
一方、台座３０は例えばＡＢＳ樹脂のような熱可塑性樹脂の樹脂成型品からなり、略円板状であって、外径寸法が回転台本体２０の外径寸法よりも若干大きめに寸法設定されており、上面には回転台本体２０の環状壁２２が摺接状態で嵌まり込む円形の凹所３１が凹設されている。台座３０の周縁部には側方に向かって突出する３個の台座側膨出部３２が周方向に例えば１２０度ピッチで設けられている。各台座側膨出部３２は平面視で回転台本体２０の外側に突出した状態になっているため、回転台本体２０を回転させるに際し、台座側膨出部３２を手で押さえて台座３０が回転台本体２０と共回りするのを防止することができ、墨出し作業を正確に行う上で好都合である。
【００２７】
前記３個の台座側膨出部３２の内の１つには台座３０が床面に対して水平であるか否かを示す水準器３３が上面の略中央位置に設けられ、残りの２つの台座側膨出部３２には図略のねじ孔に螺着された調整ねじ３４が設けられ、この調整ねじ３４の台座側膨出部３２から下方への突出量を調節することによって台座３０の水平状態を調節し得るようになっている。
【００２８】
具体的には、水準器３３が設けられた台座側膨出部３２の裏面には突起３３１が突設され、他の２つの台座側膨出部３２の裏面には上面側から螺入された調整ねじ３４の先端が突出しており、２本の調整ねじ３４の先端と突起３３１とが床面に接触することによって、台座３０が３点で支持される。したがって、２本の調整ねじ３４のねじ込み量を変化させて、調整ねじ３４の先端の床面側への突出量を変化させることで、床面に対する台座３０の角度変化で台座３０を床面に対して略水平な状態に保つことができるようになっている。なお、水準器３３および調整ねじ３４が配置される台座側膨出部３２は平面視（図３）で回転台本体２０よりも外側に位置しているので、回転台本体２０を回転させる際に水準器３３や調整ねじ３４が回転台本体２０の張出部２４と干渉することはない。
【００２９】
台座３０に設けた凹所３１には、回転台本体２０の貫通孔２３の孔心に対応した位置を中心とする環状の挟持リブ３５が同心で２環形成されている。この２つの挟持リブ３５は回転台本体２０と台座３０とを結合した際に回転台本体２０に設けた前記環状リブ２５を間に挟むようにそれぞれ径寸法が設定されている。
【００３０】
また台座３０の凹所３１の中央位置には、上方に向かって突出し、回転台本体２０の貫通孔２３の周縁に摺接状態で当該貫通孔２３に内嵌する突出部３６が一体に立設されている。この突出部３６は、径方向で中心位置を挟んで点対称位置に立設された一対の立設壁３６１と、これら一対の立設壁３６１間に設けられた一対の高さレベル表示部材３６２とからなっている。これら一対の高さレベル表示部材３６２も立設壁３６１と同様に点対称位置に設けられている。
【００３１】
各立設壁３６１は、平面視で円弧状に形成され、外面側が貫通孔２３の内周面に摺接するようになされている。したがって、回転台本体２０は、その貫通孔２３を一対の立設壁３６１に外嵌させた状態で台座３０に装着することにより、一対の立設壁３６１回りに回転し得るようになる。
【００３２】
前記各高さレベル表示部材３６２は、立て板状に立設された平板３６３と、この平板３６３の両側部から貫通孔２３の内周面に沿うように延設された平面視で円弧状のとからなっている。目盛板３６４の外面側には、高さレベルを表示する目盛３６５が付されており、この目盛３６５によって、後に詳述するように、レーザー墨出し器５０の地墨の高さ位置を知ることができるようになっている。
【００３３】
そして、回転台本体２０を台座３０に取り付けるに際しては、回転台本体２０の裏面側を台座３０の上面側に対向させた状態で、台座３０の上方から回転台本体２０の貫通孔２３を台座３０の突出部３６に外嵌し、引き続き回転台本体２０の環状壁２２を凹所３１内に嵌め込む。そうすると、回転台本体２０の環状リブ２５が台座３０の挟持リブ３５の間に挿入され、これによって、図２に示すように、回転台本体２０が突出部３６回りに回転自在に台座３０に装着された状態になる。
【００３４】
なお、環状リブ２５の高さ寸法は、回転台本体２０と台座３０とを結合した際に環状リブ２５の下面が台座３０の凹所３１と接触するような高さ寸法に設定されており、また回転台本体２０を台座３０側に押す力が加わっていない状態では環状壁２２の下面が凹所３１と接触していないため、回転台本体２０と台座３０とは環状リブ２５のみで接触することになり、回転台本体２０と台座３０との間の摩擦を少なくして、回転台本体２０をスムーズに回転させることができるようになっている。なお、２つの挟持リブ３５の間にできる溝３５１にはグリースを塗布してあり、環状リブ２５と挟持リブ３５との間の摩擦を少なくして、回転台本体２０をさらにスムーズに回転させることができる。本実施形態では潤滑剤としてグリースを用いているが、回転台本体２０と台座３０との間の摩擦を低減できるものであればグリース以外の潤滑剤を用いてもよい。
【００３５】
前記レーザー墨出し器５０は、上下に細長い円筒状の墨出し器本体５１と、この墨出し器本体５１の下端外周面に周方向で等ピッチに開閉自在に連結された３本の支持脚５２と、墨出し器本体５１における支持脚５２の付根部分に形成されたフランジ部５３とを備えて構成されている。墨出し器本体５１の内部には半導体レーザーのような光源や、光源から出力されたレーザー光を偏向させることにより鉛直方向および水平方向において扇状に広がったライン光を生成する円筒レンズなどの光学系が納装されている。
【００３６】
支持脚５２は、その上端（付根部分）がフランジ部５３の外周面に突設されたブラケット５１１に図略の支軸回りに回動自在に軸支されており、回転台本体２０に装着された状態で最大限開いた際には墨出し器本体５１を最下位位置（図２〜図４）にレベル設定する一方、最大限閉じた際には墨出し器本体５１を最上位位置（図５〜図７）にレベル設定し得るようになっている。また支持脚５２の先端部には内側に向かって膨出した引掛片５２１がそれぞれ設けられている。
【００３７】
前記図略の支軸には、図略のスプリングが装着され、このスプリングの付勢力によって各支持脚５２は開脚方向に向けて付勢されている。したがって、支持脚５２に閉脚方向に向かう力が作用しない限り、各支持脚５２は開脚状態が維持されるようになっている。
【００３８】
前記昇降構造４０は、各支持脚５２の先端に設けられた引掛片５２１を係止する係止部４１と、前記台座３０の突出部３６に摺接状態で外嵌される昇降リング（連結部（環状昇降体））４２と、この昇降リング４２および前記係止部４１間に介設されたリンクロッド４３と、回転台本体２０の主部２１の上面に周方向で等ピッチに敷設された径方向に延びる案内レール（案内部材）４４とを備えて構成されている。案内レール４４は、回転台本体２０の張出部２４の周方向中心位置で径方向に延びるように主部２１の上面に付設されている。
【００３９】
前記係止部４１は、墨出し器本体５１が最下部位置に位置設定された状態で回転台本体２０の前記張出部２４に位置する一方、墨出し器本体５１が最上位位置に位置設定された状態で回転台本体２０の貫通孔２３の周縁部に位置するように、最外方位置（図２〜図４）と最内方位置（図５〜図７）との間で位置変更可能に回転台本体２０に装着されている。
【００４０】
かかる係止部４１は、平面視で略半円形状を呈した底板４１１と、この底板４１１の円弧状の縁部から上方に向かって突設された周壁４１２と、底板４１１上の半円状の弦の部分に対応する縁部で互いに対向した周壁４１２間に貫通架設された第１リンク軸４１３とを備えている。
【００４１】
前記底板４１１の底面には、回転台本体２０の径方向に延びる蟻溝状の被案内溝４１４が凹設されている一方、前記案内レール４４は、被案内溝４１４が摺接状態で嵌め込まれ得るように断面形状が蟻部材状に形成されている。したがって、係止部４１は、被案内溝４１４を案内レール４４に装着することにより、上方への抜け止め状態で案内レール４４に案内されつつ最外方位置と最内方位置との間で位置変更し得るようになる。
【００４２】
前記昇降リング４２は、回転台本体２０の上面側において突出部３６に昇降可能に外嵌された状態で、リンクロッド４３を介して係止部４１と連結されるものであり、突出部３６の周面との摩擦力で設定された高さ位置が維持されるように摩擦設定されている。
【００４３】
かかる昇降リング４２の外周面には、周方向に等ピッチで張出部２４と対向配置された３対のブラケット対４２１が径方向に外方に向かって突設されている。各ブラケット対４２１には、第２リンク軸４２２が貫通架設されている。また、昇降リング４２の上縁部における一のブラケット対４２１と、隣設する他のブラケット対４２１との間には、操作摘み片４２３が外方に向かって突設されている。この操作摘み片４２３は、指で摘んで昇降リング４２を昇降操作するためのものであり、本実施形態においては、周方向に等ピッチで３つ設けられている。
【００４４】
また、昇降リング４２の上縁部には、台座３０の高さレベル表示部材３６２の目盛３６５に対向した位置にインジケータ４２４が設けられ、このインジケータ４２４を通して目盛３６５を視認することにより、当該インジケータ４２４の高さ位置（延いては墨出し器本体５１の地墨の高さ位置）を知ることができるようになっている。
【００４５】
前記リンクロッド４３は、１つの係止部４１当り一対で設けられている。かかるリンクロッド４３は、前記第１リンク軸４１３と第２リンク軸４２２との間で各リンク軸４１３，４２２回りに回動自在に架設されている。
【００４６】
したがって、図２〜図４に示すように、墨出し器本体５１が最下位位置に位置設定された状態（すなわち係止部４１が最外方位置に位置設定された状態）で、操作摘み片４２３を摘んで昇降リング４２を上昇させれば、水平姿勢に姿勢設定されていたリンクロッド４３が各リンク軸４１３，４２２回りに回動しながら傾斜姿勢に姿勢変更されつつ係止部４１を回転台本体２０の中心側に引き寄せるため、支持脚５２の水平面に対する傾斜角度が大きくなって墨出し器本体５１を上方に押し上げ、これによって墨出し器本体５１は、図５〜図７に示すように、最上方位置（すなわち係止部４１が最内方位置）に位置設定に到ることになる。
【００４７】
逆に最上位位置にある墨出し器本体５１を下降させるときには、操作摘み片４２３を摘んで下方に降ろせばよい。こうすることによって、傾斜姿勢に姿勢設定されているリンクロッド４３の水平面に対する角度が小さくなり、リンクロッド４３の下端部が第１リンク軸４１３を外方に押圧するため、係止部４１が最内方位置から径方向に外方に向かって移動し、これによる支持脚５２の水平面に対する傾斜角度の減少で墨出し器本体５１は下降することになる。
【００４８】
そして、墨出し器本体５１が所望の高さ位置に位置したことをインジケータ４２４を介した高さレベル表示部材３６２の目盛３６５の視認によって確認すれば、操作摘み片４２３による昇降操作を中止すればよい。そうすれば、昇降リング４２の内周面と立設壁３６１の外面との摩擦力によって昇降リング４２の設定高さ位置（すなわち墨出し器本体５１の地墨の高さ位置）が維持される。
【００４９】
一方、台座３０の外周縁には、径方向の外方に向かって先下がりに傾斜した環状傾斜縁３７が設けられている。この環状傾斜縁３７には、水準器３３が設けられた台座側膨出部３２の周方向中央位置に目盛られている基準目盛６０の位置を基準にして９０度毎に、補助目盛６１が設けられている。そして、環状傾斜縁３７および台座側膨出部３２には、基準目盛６０および補助目盛６１の間に例えば５度おきに目盛６２が回転台本体２０の外周部に沿って形成されている。
【００５０】
また、回転台本体２０の環状傾斜縁部２１１には、周方向に等ピッチ（９０°ピッチ）で４つの指標６３が目盛られている。そして、床面に引かれた図略の基準線に、基準目盛６０や補助目盛６１を合わせることにより、墨出し作業を行うときの台座３０の位置および方向が設定されるようになされている。
【００５１】
このように台座３０と床面の基準線との位置合わせを行い、レーザー墨出し器５０の地墨の位置を確定させた状態で墨出し作業が開始される。この墨出し作業においては、一方の壁面に鉛直方向あるいは水平方向にレーザー光を投影してこの壁面での墨出し作業を行った後、この壁面に隣接する別の壁面にレーザー光を照射する。この場合、本実施形態では回転台本体２０を台座３０に対して回転させることにより、レーザー墨出し器５０の向きを変えて、別の壁面にレーザー光を照射させるようにしている。
【００５２】
すなわち、一の指標６３を基準目盛６０と合わせた状態から、回転台本体２０を図中左回りに約９０度回転させ、一の指標６３から９０°位相ずれした他の指標６３が基準目盛６０と一致するように回転台本体２０を回転させると、基準位置から９０°だけ回転台本体２０を回転させることができる。なお、回転台本体２０の回転は、９０°に限定されるものではなく、所定の目盛６２を基準目盛６０にあわせることで、所望の方向にレーザー光を投影させることができる。
【００５３】
本発明にかかる墨出し器用回転台１０は、レーザー墨出し器５０自体を持ち上げたりして直接動かすことなしに、当該レーザー墨出し器５０の方位変更や昇降が可能になっているため、地墨の位置がずれることはなく、レーザー墨出し器５０の向きを変える度に地墨の位置を合わせ直す必要がないので、墨出し作業の作業性を格段に向上させることができる。
【００５４】
本発明の墨出し器用回転台１０は、以上詳述したように、建物の壁面に対してレーザー光を照射する墨出し器本体５１と、この墨出し器本体５１を支持する閉脚および開脚が可能な複数本の支持脚５２とを備えたレーザー墨出し器５０を、建物の床面に対して平行な面内で回転可能に支持するためのものであり、床面上に載置される台座３０と、この台座３０に回転自在に支持される回転台本体２０とを備えた基本構成を有し、前記回転台本体２０と各支持脚５２との間には、支持脚５２を閉開脚させることによって墨出し器本体５１を昇降させる昇降構造４０が設けられているため、この昇降構造４０により回転台本体２０を昇降させることで、当該回転台本体２０に支持されたレーザー墨出し器５０の高さ位置を容易に微調整することができ、常に地墨の高さを適正な位置に設定することが可能になり、これによって常に正確な墨出し作業を実現することができる。
【００５５】
また、前記昇降構造４０は、前記複数本の支持脚５２それぞれの先端を係止する係止部４１と、各係止部４１を回転台本体２０の径方向に正逆移動可能に案内する案内レール４４とを備えているため、各係止部４１を回転台本体２０の径方向内方に向けて移動させることにより、これらの係止部４１に係止されている支持脚５２の先端部が回転台本体２０の中心に向けて移動することになり、これによって複数の支持脚５２の上端側は互いに干渉し合って競り上がるため、複数の支持脚５２に支持された墨出し器本体５１を上昇させることができる。逆に、各係止部４１を回転台本体２０の径方向外方に向けて移動させることにより、これらの係止部４１に係止されている支持脚５２の下端部が回転台本体２０の中心から遠ざかる方向に向けて移動し、これによって複数の支持脚５２の上端側は競り下がるため、複数の支持脚５２に支持された墨出し器本体５１を下降させることができる。
【００５６】
このように、昇降構造４０を、複数本の支持脚５２それぞれの下端部を係止する係止部４１と、各係止部４１を回転台本体２０の径方向に正逆移動可能に案内する案内レール４４とを備えて構成することにより、簡単な構造でありながら安定した状態で墨出し器本体５１を容易させることができ、部品コストおよび組み付けコストの低減化に寄与することができる。
【００５７】
また、前記昇降構造４０は、各係止部４１を連結して当該各係止部４１を同時に且つ同一量移動させる昇降リング４２を有しているため、この昇降リング４２を昇降させることによって全ての係止部４１を同一量だけ移動させることができる。したがって、各係止部４１をそれぞれ別個に移動させる場合に比較し、手間が省けて操作性が向上し、これによって墨出し器本体５１の高さ位置微調整を容易に行うことができる。
【００５８】
また、前記回転台本体２０の中心位置に貫通孔２３が穿設されている一方、台座３０には前記貫通孔２３に貫通されるように立設された立設壁３６１が設けられ、前記昇降リング４２および前記係止部４１間に各リンク軸４１３，４２２回りの正逆回動で姿勢変更可能に介設されたリンクロッド４３とを備えているため、昇降リング４２を、立設壁３６１に沿って摺動させながら昇降させることにより、この昇降運動は、昇降リング４２を介して各リンクロッド４３に伝達され、これによる各リンクロッド４３のリンク運動によって各係止部４１が同一量だけ移動し、これによって墨出し器本体５１は、新たに設定された高さ位置において各リンクロッド４３に支持された状態になる。
【００５９】
このように、昇降リング４２を、立設壁３６１に摺接状態で昇降可能に外嵌された昇降リング４２と、この昇降リング４２および係止部４１間に姿勢変更可能に介設されたリンクロッド４３とを備えて構成することにより、簡単な構造を確保した上で、墨出し器本体５１の高さ位置の微調整を容易かつ確実に行うことができる。
【００６０】
また、前記昇降リング４２には、径方向の外方に向けて突設された昇降操作用の操作摘み片４２３が設けられているため、この操作摘み片４２３の存在で昇降リング４２の昇降操作を容易に行うことができる。
【００６１】
さらに、前記立設壁３６１には高さ寸法を示す目盛３６５が表示されている一方、昇降リング４２には前記目盛３６５を指すインジケータ４２４が設けられているため、インジケータ４２４が指している目盛３６５を読み取ることで墨出し器本体５１の設定高さ位置を正確に知ることができる。
【００６２】
本発明は、上記の実施形態に限定されるものではなく、以下の内容をも包含するものである。
【００６３】
（１）上記実施形態においては、回転台本体２０の上面に係止部４１を案内するための案内部材として案内レール４４が設けられているが、本発明は、案内部材が案内レール４４であることに限定されるものではなく、案内溝であってもよい。こうした場合、係止部４１の裏面には被案内溝４１４に代えて案内溝に嵌まり込む被案内凸部が採用される。
【００６４】
（２）上記の実施形態においては、墨出し器本体５１を支持する支持脚５２が３本設けられているが、本発明は、支持脚５２が３本であることに限定されるものではなく、幅寸法が相当広い場合には２本で済ませることができるし、場合によっては４本以上としてもよい。
【００６５】
（３）上記の実施形態においては、墨出し器本体５１のフランジ部５３に設けられたブラケット５１１の図略の支軸に図略のスプリングが装着され、このスプリングで各支持脚５２を開脚方向に向けて付勢しているが、本発明は、支持脚５２を開脚方向へ付勢することに限定されるものではなく、とくに支持脚５２を付勢しなくてもよい。
【００６６】
（４）上記の実施形態においては、昇降リング４２には操作摘み片４２３が３つ設けられているが、本発明は、操作摘み片４２３が３つであることに限定されるものではなく、３つ未満であってもよいし、３つを越えてもよい。
【００６７】
（５）上記の実施形態においては、昇降リング４２は、その内周面が当接する立設壁３６１の外面との間の摩擦力により、設定された高さ位置が維持されるようになされているが、こうする代わりに、昇降リング４２にマニュアル操作が可能なブレーキ機構を設け、このブレーキ機構の操作で昇降リング４２の設定された高さ位置を維持させるようにしてもよい。
【００６８】
（６）上記の実施形態において、台座３０を直接床面上に載置する代わりに、台座３０を三脚に取り付けるようにしてもよい。台座３０を三脚に取り付ける場合は、略円盤状に形成されたホルダーを用い、このホルダーの下面に突設された円柱状の凸部を台座３０の突出部３６内に下から挿入し（このためには台座３０の中心位置に貫通孔を設ける必要がある）、台座３０の下側に配置された三脚のねじを凸部の下面に設けたねじ穴に螺合することによって、ホルダーと三脚との間で台座３０を挟持し、台座３０を三脚に取り付けるようにすればよい。
【００６９】
（７）上記の実施形態においては、台座３０に回転台本体２０が挿入される凹所３１を形成するとともに、回転台本体２０に環状リブ２５を設けているが、回転台本体２０に凹所を設けるとともに、回転台本体２０に設けた凹所と当接する当接リブを台座３０に設け、台座３０に設けた当接リブを挟持する挟持リブを回転台本体２０に設けるようにしてもよい。
【００７０】
【発明の効果】
本発明の墨出し器用回転台は、以上詳述したように、床面上に載置される台座と、この台座に回転自在に支持される回転台本体と、回転台本体を支持する複数本の支持脚とを備えて構成され、回転台本体と複数本の支持脚との間には、各支持脚を閉開脚させることによって墨出し器本体を昇降させる昇降構造が設けられているため、昇降構造によって回転台本体を昇降させることにより、当該回転台本体に支持されたレーザー墨出し器の高さ位置を容易に微調整することができ、これによって常に地墨の高さを適正な位置に設定することを可能とした上で墨出し作業の作業性を大幅に向上させることができる。
【図面の簡単な説明】
【図１】本発明に係る墨出し器用回転台の一実施形態を示す分解斜視図である。
【図２】墨出し器本体が最下部位置に位置設定された状態を示す墨出し器用回転台の組立て斜視図である。
【図３】図２に示す墨出し器用回転台の平面図である。
【図４】図２に示す墨出し器用回転台の側面図である。
【図５】墨出し器本体が上部位置に位置設定された状態を示す墨出し器用回転台の組立て斜視図である。
【図６】図５に示す墨出し器用回転台の平面図である。
【図７】図５に示す墨出し器用回転台の側面図である。
【符号の説明】
１０  墨出し器用回転台
２０  回転台本体            ２１  主部
２１１  環状傾斜縁部        ２２  環状壁
２３  貫通孔（通孔）        ２４  張出部
２５  環状リブ２５          ３０  台座
３１  凹所                  ３２  台座側膨出部
３３  水準器                ３４  調整ねじ
３５  挟持リブ              ３５１  溝
３６  突出部                ３６１  立設壁
３６２  高さレベル表示部材  ３６３  平板
３６４  目盛板              ３６５  目盛
３７  環状傾斜縁            ４０  昇降構造
４１  係止部                ４１１  底板
４１２  周壁                ４１３  第１リンク軸
４１４  被案内溝            ４２  昇降リング（連結部（環状昇降体））
４２１  ブラケット対        ４２２  第２リンク軸
４２３  操作摘み片          ４２４  インジケータ
４３  リンクロッド          ４４  案内レール（案内部材）
５０  レーザー墨出し器      ５１  レーザー墨出し器
５１１  ブラケット          ５２  支持脚
５２１  引掛片              ５３  フランジ部
６０  基準目盛              ６１  補助目盛
６２  目盛                  ６３  指標
【図１】
2004354099.tif 000003
【図２】
2004354099.tif 000004
【図３】
2004354099.tif 000005
【図４】
2004354099.tif 000006
【図５】
2004354099.tif 000007
【図６】
2004354099.tif 000008
【図７】
2004354099.tif 000009